(57)【要約】【課題】電池の寿命低下を抑えられる充電装置を提供する。【解決手段】マイクロコンピュータ１１３は、補機バッテリＢ１０を充電する際、補機バッテリＢ１０の充電状態に基づいて充電時間を制限する。そのため、補機バッテリＢ１０が過充電状態になるような事態を抑えられる。また、補機バッテリＢ１０に過大な充電電流を流すことが可能な状態になった場合に、補機バッテリＢ１０に流れる充電電流を制限する。そのため、補機バッテリＢ１０に誤って過大な充電電流を流してしまうような事態を抑えられる。さらに、補機バッテリＢ１０が過度な低充電状態になった場合に、ソーラパネル１０以外からも電力供給する。そのため、補機バッテリＢ１０を正常な充電状態に早急に回復させ、過度な低充電状態において負荷等に電力供給するような事態を抑えられる。従って、補機バッテリＢ１０の寿命低下を抑えられる。【選択図】図１
2015133813.tif 000002
【特許請求の範囲】
【請求項１】
太陽光によって発電する太陽光発電装置（１０）と、
前記太陽光発電装置、及び、負荷に電力を供給する充放電可能な第１電池（Ｂ１０）に接続され、前記太陽光発電装置が発電している場合、前記太陽光発電装置から供給される電力を変換して前記第１電池に供給し、前記第１電池を充電する充電回路（１１０、１１１、１１２）と、
前記充電回路に接続され、前記充電回路を制御する制御回路（１１３）と、
を備えた充電装置において、
前記制御回路は、前記充電回路を制御して前記第１電池を充電する際、前記第１電池の充電状態に基づいて前記第１電池の充電時間を制限すること、前記第１電池に過大な充電電流を流すことが可能な状態になった場合に前記第１電池に流れる充電電流を制限すること、及び、前記第１電池が過度な低充電状態になった場合に前記太陽光発電装置以外からも電力供給することの少なくともいずれかを実施することを特徴とする充電装置。
【請求項２】
前記制御回路は、前記第１電池の電圧又は残存容量に基づいて前記第１電池の連続充電時間を制限することを特徴とする請求項１に記載の充電装置。
【請求項３】
前記充電回路は、第２電池（１２）に接続され、前記太陽光発電装置から供給される電力を変換して前記第２電池に供給し、前記第２電池を充電し、前記第２電池から供給される電力を変換して前記第１電池に供給し、前記第１電池を充電できることを特徴とする請求項１又は２に記載の充電装置。
【請求項４】
前記制御回路は、前記太陽光発電装置から前記第１電池だけに電力を供給し前記第１電池を充電する場合、又は、前記太陽光発電装置及び前記第２電池から前記第１電池に電力を供給し前記第１電池を充電する場合、前記第１電池に流れる充電電流を制限することを特徴とする請求項３に記載の充電装置。
【請求項５】
前記制御回路は、前記第１電池の電圧又は残存容量が閾値未満になった場合、前記太陽光発電装置及び前記第２電池から前記第１電池に電力供給することを特徴とする請求項３又は４に記載の充電装置。
【発明の詳細な説明】
【技術分野】
【０００１】
本発明は、太陽光発電装置から電池に電力を供給し、電池を充電する充電装置に関する。
【背景技術】
【０００２】
従来、太陽光発電装置から電池に電力を供給し、電池を充電する充電装置として、例えば以下に示す特許文献１に開示されている太陽電池電源装置がある。
【０００３】
この太陽電池電源装置は、太陽電池パネルと、充電スイッチと、充電制御手段とを備えている。太陽電池パネルは、太陽光によって発電する。太陽電池パネルが発電している場合、充電制御手段は、充電スイッチを制御して太陽電池パネルから供給される電力を組電池に供給し、組電池を充電する。ここで、太陽電池パネル及び組電池が、太陽発電装置及び電池に相当する。
【先行技術文献】
【特許文献】
【０００４】
【特許文献１】特開２０１１−１５５８２０号公報
【発明の概要】
【発明が解決しようとする課題】
【０００５】
前述した太陽電池電源装置において、例えば、太陽電池パネルが発電している間、組電池を常に充電し続けるような構成にした場合、組電池が過充電状態になってしまう。その結果、組電池の寿命が低下してしまう。また、これ以外にも、組電池を充電する際の条件によっては、組電池の寿命が低下してしまうことがある。
【０００６】
本発明はこのような事情に鑑みてなされたものであり、電池の寿命低下を抑えることができる充電装置を提供することを目的とする。
【課題を解決するための手段】
【０００７】
上記課題を解決するためになされた本発明は、太陽光によって発電する太陽光発電装置と、太陽光発電装置、及び、負荷に電力を供給する充放電可能な第１電池に接続され、太陽光発電装置が発電している場合、太陽光発電装置から供給される電力を変換して第１電池に供給し、第１電池を充電する充電回路と、充電回路に接続され、充電回路を制御する制御回路と、を備えた充電装置において、制御回路は、充電回路を制御して第１電池を充電する際、第１電池の充電状態に基づいて第１電池の充電時間を制限すること、第１電池に過大な充電電流を流すことが可能な状態になった場合に第１電池に流れる充電電流を制限すること、及び、第１電池が過度な低充電状態になった場合に太陽光発電装置以外からも電力供給することの少なくともいずれかを実施することを特徴とする。
【０００８】
この構成によれば、第１電池の充電状態に基づいて充電時間を制限することで、第１電池が過充電状態になるような事態を抑えることができる。第１電池に過大な充電電流を流すことが可能な状態になった場合に第１電池に流れる充電電流を制限することで、第１電池に誤って過大な充電電流を流してしまうような事態を抑えることができる。第１電池が過度な低充電状態になった場合に太陽光発電装置以外からも電力供給することで、第１電池を正常な充電状態に早急に回復させ、過度な低充電状態において負荷等に電力供給するような事態を抑えることができる。そのため、第１電池の寿命低下を抑えることができる。
【図面の簡単な説明】
【０００９】
【図１】第１実施形態における充電装置の回路図である。
【図２】図１に示す充電装置の動作を説明するためのフローチャートである。
【図３】図２のフローチャートに続くフローチャートである。
【図４】図１に示す充電装置の動作を説明するための各部の状態を示すグラフである。
【発明を実施するための形態】
【００１０】
次に、実施形態を挙げ、本発明をより詳しく説明する。本実施形態では、本発明に係る充電装置を、ハイブリッド車に搭載された補機バッテリ及びＨＶバッテリを充電する充電装置に適用した例を示す。
【００１１】
（第１実施形態）
まず、図１を参照して第１実施形態の充電装置の構成について説明する。
【００１２】
図１に示す充電装置１は、太陽光によって発電し、車両に搭載された補機バッテリＢ１０（第１電池）及びＨＶバッテリＢ１１（第２電池）を充電する装置である。ここで、補機バッテリＢ１０は、車両に搭載された補機類及び充電装置１に電力を供給する、例えば、定格電圧が１２Ｖの充放電可能なバッテリである。ＨＶバッテリＢ１１は、車両走行用モータに電力を供給する、例えば、定格電圧が２００Ｖ以上の充放電可能なバッテリである。充電装置１は、ソーラパネル１０（太陽光発電装置）と、ソーラ制御装置１１と、追加バッテリ１２（第２電池）とを備えている。
【００１３】
ソーラパネル１０は、車両に搭載され、太陽光によって発電する装置である。ソーラパネル１０は、太陽光が照射されている場合、出力電力が最大になるように、ソーラ制御装置１１によって出力電流が制御される。その際、出力電圧が４０Ｖ程度になる。
【００１４】
ソーラ制御装置１１は、ソーラパネル１０から供給される電力を所定電圧に変換して補機バッテリＢ１０及びＨＶバッテリＢ１１に供給し、補機バッテリＢ１０及びＨＶバッテリＢ１１を充電する装置である。ソーラ制御装置１１は、給電コンバータ回路１１０（充電回路）と、補機コンバータ回路１１１（充電回路）と、昇圧コンバータ回路１１２（充電回路）と、マイクロコンピュータ１１３（制御回路）とを備えている。
【００１５】
給電コンバータ回路１１０は、マイクロコンピュータ１１３によって制御され、ソーラパネル１０から供給される電力を２０Ｖ程度に降圧して補機コンバータ回路１１１に供給するとともに、追加バッテリ１２に供給して追加バッテリ１２を充電する回路である。給電コンバータ回路１１０の入力端子はソーラパネル１０の出力端子に、出力端子は補機コンバータ回路１１１及び追加バッテリ１２に接続されている。制御端子はマイクロコンピュータ１１３に接続されている。
【００１６】
補機コンバータ回路１１１は、マイクロコンピュータ１１３によって制御され、給電コンバータ回路１１０又は追加バッテリ１２から供給される電力を補機バッテリＢ１０の充電に適した電圧に降圧して補機バッテリＢ１０を充電する回路である。補機コンバータ回路１１１の入力端子は、給電コンバータ回路１１０の出力端子に接続されるとともに、追加バッテリ１２に接続されている。出力端子は補機バッテリＢ１０の端子に接続されている。制御端子はマイクロコンピュータ１１３に接続されている。
【００１７】
昇圧コンバータ回路１１２は、マイクロコンピュータ１１３によって制御され、追加バッテリ１２から供給される電力をＨＶバッテリＢ１１の充電に適した電圧に昇圧してＨＶバッテリＢ１１を充電する回路である。昇圧コンバータ回路１１２の入力端子は、追加バッテリ１２に接続されている。出力端子はＨＶバッテリＢ１１の端子に接続されている。制御端子はマイクロコンピュータ１１３に接続されている。
【００１８】
マイクロコンピュータ１１３は、車両に搭載された別の装置から入力される情報に基づいて、給電コンバータ回路１１０、補機コンバータ回路１１１及び昇圧コンバータ回路１１２を制御する素子である。マイクロコンピュータ１１３は、給電コンバータ回路１１０、補機コンバータ回路１１１及び昇圧コンバータ回路１１２の制御端子に接続されている。
【００１９】
追加バッテリ１２は、ソーラパネル１０から供給される電力を蓄えておくバッテリである。追加バッテリ１２の端子は、給電コンバータ回路１１０の出力端子、補機コンバータ回路１１１及び昇圧コンバータ回路１１２の入力端子に接続されている。
【００２０】
次に、図１を参照して第１実施形態の充電装置の動作の概略を説明する。
【００２１】
図１に示すマイクロコンピュータ１１３は、給電コンバータ回路１１０、補機コンバータ回路１１１及び昇圧コンバータ回路１１２を制御する。
【００２２】
ソーラパネル１０に充分な太陽光が照射され、ソーラパネル１０が発電している場合、ソーラパネル１０から給電コンバータ回路１１０及び補機コンバータ回路１１１を介して補機バッテリＢ１０に電力が供給され、補機バッテリＢ１０が充電される。ソーラパネル１０から給電コンバータ回路１１０を介して追加バッテリ１２に電力が供給され、追加バッテリ１２が充電される。
【００２３】
そして、追加バッテリ１２が満充電状態になると、追加バッテリ１２から昇圧コンバータ回路１１２を介してＨＶバッテリＢ１１に電力が供給され、ＨＶバッテリＢ１１が充電される。また、必要に応じて、追加バッテリ１２から補機コンバータ回路１１１を介して補機バッテリＢ１０に電力が供給され、補機バッテリＢ１０が充電される。
【００２４】
マイクロコンピュータ１１３は、補機バッテリＢ１０を充電する際、補機バッテリＢ１０の充電時間を制限する。具体的には、補機バッテリＢ１０の電圧から残存容量を求め、求めた残存容量に基づいて連続充電時間閾値を設定する。そして、補機バッテリＢ１０を連続して充電する時間が連続充電時間閾値を超えないように、補機コンバータ回路１１１を制御する。
【００２５】
また、マイクロコンピュータ１１３は、補機バッテリＢ１０に過大な充電電流を流すことが可能な状態になった場合、補機バッテリＢ１０に流れる充電電流を制限する。具体的には、ソーラパネル１０から補機バッテリＢ１０だけに電力を供給し、補機バッテリＢ１０を充電する場合、又は、ソーラパネル１０から補機バッテリＢ１０に電力を供給するだけでなく、充電装置１とは別の装置を介してＨＶバッテリＢ１１からも補機バッテリＢ１０に電力を供給し、補機バッテリＢ１０を充電する場合、充電電流上限値を小さく設定する。そして、補機バッテリＢ１０に流れる充電電流が充電電流上限値を超えないように、補機コンバータ回路１１１を制御する。
【００２６】
さらに、マイクロコンピュータ１１３は、補機バッテリＢ１０が過度な低充電状態になった場合、ソーラパネル１０だけでなく、ソーラパネル１０以外からも電力供給し、補機バッテリＢ１０を充電する。具体的には、補機バッテリＢ１０の電圧が補機バッテリ電圧閾値未満になった場合、ソーラパネル１０だけでなく、追加バッテリ１２からも電力供給し、補機バッテリＢ１０を充電する。ここで、補機バッテリ電圧閾値は、補機バッテリＢ１０が過度な低電圧状態にあるか否かを判断する際の基準となる閾値であり、例えば、１０Ｖに設定されている。補機バッテリＢ１０の電圧が補機バッテリ電圧未満になった場合、補機バッテリＢ１０が過度な低電圧状態である。
【００２７】
次に、図１〜図３を参照して第１実施形態の充電装置の動作について説明する。
【００２８】
図１に示すマイクロコンピュータ１１３は、外部から入力されるＨＶバッテリＢ１１に関連する情報に基づいて図２に示すように、ＨＶバッテリＢ１１を充電するか否かを検討する（Ｓ１００）。そして、検討結果に基づいて、ＨＶバッテリＢ１１の充電を許可するか否かを判定する（Ｓ１０１）。
【００２９】
ステップＳ１０１において、ＨＶバッテリＢ１１の充電を許可すると判定した場合、マイクロコンピュータ１１３は、ＨＶバッテリ充電フラグを許可状態に設定する（Ｓ１０２）。一方、ステップＳ１０１において、ＨＶバッテリＢ１１の充電を許可しないと判定した場合、マイクロコンピュータ１１３は、ＨＶバッテリ充電フラグを禁止状態に設定する（Ｓ１０３）。ここで、ＨＶバッテリ充電フラグは、ＨＶバッテリＢ１１の充電の許可又は禁止を示すフラグである。
【００３０】
その後、マイクロコンピュータ１１３は、検出した追加バッテリ１２の電圧から残存容量を求め、追加バッテリ１２の残存容量が追加バッテリ残存容量閾値未満であるか否かを判定する（Ｓ１０４）。ここで、追加バッテリ残存容量閾値は、追加バッテリ１２が過充電状態であるか否かを判断する際の基準となる閾値である。追加バッテリ１２の残存容量が追加バッテリ残存容量閾値未満になった場合、追加バッテリ１２の充電が許可される。
【００３１】
ステップＳ１０４において、追加バッテリ１２の残存容量が追加バッテリ残存容量閾値未満であると判定した場合、マイクロコンピュータ１１３は、追加バッテリ充電フラグを許可状態に設定する（Ｓ１０５）。一方、ステップＳ１０４において、追加バッテリ１２の残存容量が追加バッテリ残存容量閾値未満でないと判定した場合、マイクロコンピュータ１１３は、追加バッテリ充電フラグを禁止状態に設定する（Ｓ１０６）。ここで、追加バッテリ充電フラグは、追加バッテリ１２の充電の許可又は禁止を示すフラグである。
【００３２】
その後、マイクロコンピュータ１１３は、検出した補機バッテリＢ１０の電圧から残存容量を求め、補機バッテリＢ１０の残存容量が補機バッテリ残存容量閾値未満であるか否かを判定する（Ｓ１０７）。ここで、補機バッテリ残存容量閾値は、補機バッテリＢ１０が過充電状態でなく、補機バッテリＢ１０の充電が可能な状態であるか否かを判断する際の基準となる閾値である。補機バッテリＢ１０の残存容量が補機バッテリ残存容量閾値未満になった場合、補機バッテリＢ１０の充電が許可される。
【００３３】
ステップＳ１０７において、補機バッテリＢ１０の残存容量が補機バッテリ残存容量閾値未満であると判定した場合、マイクロコンピュータ１１３は、補機バッテリ充電フラグを許可状態に設定する（Ｓ１０８）。一方、ステップＳ１０７において、補機バッテリＢ１０の残存容量が補機バッテリ残存容量閾値未満でないと判定した場合、マイクロコンピュータ１１３は、補機バッテリ充電フラグを禁止状態に設定する（Ｓ１０９）。ここで、補機バッテリ充電フラグは、補機バッテリＢ１０の充電の許可又は禁止を示すフラグである。
【００３４】
その後、マイクロコンピュータ１１３は、補機バッテリＢ１０の残存容量に基づいて連続充電時間閾値を設定する（Ｓ１１０）。ここで、連続充電時間閾値は、補機バッテリＢ１０の連続充電時間を制限する閾値である。連続充電時間閾値は、補機バッテリＢ１０の残存容量から、予め設定されているマップや計算式に基づいて、補機バッテリＢ１０が過充電状態にならないような時間に設定される。
【００３５】
その後、マイクロコンピュータ１１３は、検出した補機バッテリＢ１０の電圧が補機バッテリ電圧閾値未満であるか否かを判定する（Ｓ１１１）。
【００３６】
ステップＳ１１１において、補機バッテリＢ１０の電圧が補機バッテリ電圧閾値未満であると判定した場合、マイクロコンピュータ１１３は、補機バッテリ回復充電フラグを、回復充電要求ありを示すオン状態にする（Ｓ１１２）。一方、ステップＳ１１１において、補機バッテリＢ１０の電圧が補機バッテリ電圧閾値未満でないと判定した場合、マイクロコンピュータ１１３は、補機バッテリ回復充電フラグを、回復充電要求なしを示すオフ状態にする（Ｓ１１３）。ここで、補機バッテリ回復充電フラグは、補機バッテリＢ１０の回復充電の要求の有無を示すフラグである。補機バッテリＢ１０の回復充電は、ソーラパネル１０だけでなく、追加バッテリ１２からも電力供給して補機バッテリＢ１０を正常な充電状態に早急に回復させるものである。
【００３７】
その後、マイクロコンピュータ１１３は、補機コンバータ回路１１１の異常の有無を確認する（Ｓ１１４）。そして、補機コンバータ回路１１１が正常であるか否かを判定する（Ｓ１１５）。
【００３８】
ステップＳ１１５において、補機コンバータ回路１１１が正常でないと判定した場合、マイクロコンピュータ１１３は処理を終了する。一方、ステップＳ１１５において、補機コンバータ回路１１１が正常であると判定した場合、マイクロコンピュータ１１３は、図３に示すように、補機バッテリＢ１０の回復充電が要求されているか否かを判定する（Ｓ１１６）。
【００３９】
ステップＳ１１６において、補機バッテリ回復充電フラグがオン状態であり、補機バッテリＢ１０の回復充電が要求されていると判定した場合、マイクロコンピュータ１１３は、補機バッテリＢ１０を充電する際の充電電力指令値として最大値を設定する（Ｓ１１７）。一方、ステップＳ１１６において、補機バッテリ回復充電フラグがオフ状態であり、補機バッテリＢ１０の回復充電が要求されていないと判定した場合、マイクロコンピュータ１１３は、補機コンバータ回路１１１の駆動が許可されているか否かを判定する（Ｓ１１８）。
【００４０】
ステップＳ１１８において、補機バッテリ充電フラグが許可状態であり、補機コンバータ回路１１１の駆動が許可されていると判定した場合、マイクロコンピュータ１１３は、ソーラパネル１０から補機バッテリＢ１０だけに充電が許可されている状態、又は、ソーラパネル１０からだけでなく、充電装置１とは別の装置を介してＨＶバッテリＢ１１からも補機バッテリＢ１０に充電している状態であるかを判定する（Ｓ１１９）。
【００４１】
ステップＳ１１９において、充電フラグのうち補機バッテリ充電フラグだけが許可状態であり、ソーラパネル１０から補機バッテリＢ１０だけに充電が許可されている状態、又は、ソーラパネル１０からだけでなく、充電装置１とは別の装置を介してＨＶバッテリＢ１１からも補機バッテリＢ１０に充電している状態であると判定した場合、マイクロコンピュータ１１３は、充電電流上限値として最大値より小さい所定値を設定する（Ｓ１２０）。ここで、充電電流上限値は、補機バッテリＢ１０に流れる充電電流を制限するための上限値である。ソーラパネル１０から補機バッテリＢ１０だけに充電が許可されている状態、又は、ソーラパネル１０及びＨＶバッテリＢ１１から補機バッテリＢ１０に充電が許可されている状態である場合、補機バッテリＢ１０に過大な充電電流を流すことが可能である。そのため、補機バッテリＢ１０に誤って過大な充電電流を流してしまう可能性がある。そこで、充電電流上限値を最大値より小さい所定値に変更し、そのような事態の発生を抑える。
【００４２】
一方、ステップＳ１１９において、補機バッテリ充電フラグだけでなく、他の充電フラグも許可状態であり、ソーラパネル１０から補機バッテリＢ１０だけに充電が許可されている状態でない、及び、ソーラパネル１０からだけでなく、充電装置１とは別の装置を介してＨＶバッテリＢ１１からも補機バッテリＢ１０に充電している状態でないと判定した場合、マイクロコンピュータ１１３は、充電電流上限値として最大値を設定する（Ｓ１２１）。
【００４３】
その後、マイクロコンピュータ１１３は、充電時間を計測するため、充電時間計測カウンタをカウントアップさせる（Ｓ１２２）。そして、充電時間計測カウンタの値が充電時間閾値未満であるか否かを判定する（Ｓ１２３）。
【００４４】
ステップＳ１１７の実施後、又は、ステップＳ１２３において、充電時間計測カウンタの値が連続充電時間閾値未満であると判定した場合、マイクロコンピュータ１１３は、それまでに設定された条件を踏まえ補機コンバータ回路１１１を駆動する（Ｓ１２４）。そして、外部から入力される充電電流の検出結果に基づいて補機コンバータ回路１１１を制御する（Ｓ１２５）。
【００４５】
一方、ステップＳ１１８において、補機バッテリ充電フラグが禁止状態であり、補機コンバータ回路１１１の駆動が許可されていないと判定した場合、及び、ステップＳ１２３において、充電時間カウンタによって計測した時間が連続充電時間閾値未満でないと判定した場合、マイクロコンピュータ１１３は、充電時間カウンタの値をクリアする（Ｓ１２６）。そして、補機コンバータ回路１１１を停止させる（Ｓ１２７）。
【００４６】
次に、図４を参照して補機バッテリの充電時における、充電時間及び充電電流の制限動作について具体的に説明する。
【００４７】
図４において、時刻ｔ１で日射強度が増してソーラパネル１０の発電電力が増加すると、マイクロコンピュータ１１３は、補機バッテリ充電フラグを許可状態に設定する。そして、補機バッテリＢ１０の残存容量に基づいて連続充電時間閾値を設定する。
【００４８】
補機バッテリ回復充電フラグがオフ状態である場合、補機バッテリ充電フラグが許可状態であり、補機コンバータ回路１１１の駆動が許可されていることから、マイクロコンピュータ１１３は、ＨＶバッテリ充電フラグ及び追加バッテリ充電フラグの状態を判定する。
【００４９】
ＨＶバッテリ充電フラグが禁止状態、かつ、追加バッテリ充電フラグが許可状態であり、ソーラパネル１０から補機バッテリＢ１０だけに充電が許可されている状態でなく、また、ソーラパネル１０及びＨＶバッテリＢ１１から補機バッテリＢ１０に充電が許可されている状態でもないことから、マイクロコンピュータ１１３は、充電電流上限値として最大値を設定する。
【００５０】
そして、マイクロコンピュータ１１３は、充電時間計測カウンタをカウントアップさせ、充電時間計測カウンタの値が連続充電時間閾値に達するまで補機コンバータ回路１１１を駆動する。その際、充電電流の検出結果が、最大値に設定された充電電流上限値を超えないように、補機コンバータ回路１１１を制御する。その結果、補機バッテリＢ１０が充電され、補機バッテリＢ１０の残存容量が増加していく。
【００５１】
その後、時刻ｔ２で追加バッテリ充電フラグが禁止状態になると、補機バッテリ充電フラグだけが許可状態であり、ソーラパネル１０から補機バッテリＢ１０だけに充電が許可されている状態であることから、マイクロコンピュータ１１３は、充電電流上限値として、最大値より小さい所定値を設定する。そして、充電電流が、所定値に設定された充電電流上限値を超えないように、補機コンバータ回路１１１を制御する。その結果、充電電流が所定値に設定された充電電流上限値に制限された状態で、補機バッテリＢ１０が充電され、補機バッテリＢ１０の残存容量が増加していく。
【００５２】
その後、時刻ｔ３で充電時間計測カウンタの値が連続充電時間閾値に達すると、マイクロコンピュータ１１３は、充電時間計測カウンタの値をクリアする。そして、補機バッテリ充電フラグの状態に関係なく、補機コンバータ回路１１１を停止させる。
【００５３】
次に、第１実施形態の充電装置の効果について説明する。
【００５４】
第１実施形態によれば、マイクロコンピュータ１１３は、補機バッテリＢ１０を充電する際、補機バッテリＢ１０の充電状態に基づいて補機バッテリＢ１０の充電時間を制限する。そのため、補機バッテリＢ１０が過充電状態になるような事態を抑えることができる。また、マイクロコンピュータ１１３は、補機バッテリＢ１０に過大な充電電流を流すことが可能な状態になった場合に、補機バッテリＢ１０に流れる充電電流を制限する。そのため、補機バッテリＢ１０に誤って過大な充電電流を流してしまうような事態を抑えることができる。さらに、マイクロコンピュータ１１３は、補機バッテリＢ１０が過度な低充電状態になった場合に、ソーラパネル１０以外からも電力供給する。そのため、補機バッテリＢ１０を正常な充電状態に早急に回復させ、過度な低充電状態において負荷等に電力供給するような事態を抑えることができる。従って、補機バッテリＢ１０の寿命低下を抑えることができる。
【００５５】
第１実施形態によれば、マイクロコンピュータ１１３は、補機バッテリＢ１０の残存容量に基づいて補機バッテリＢ１０の連続充電時間を制限する。そのため、補機バッテリＢ１０が過充電状態になるような事態を確実に抑えることができる。
【００５６】
第１実施形態によれば、給電コンバータ回路１１０及び昇圧コンバータ回路１１２によって、ソーラパネル１０から供給される電力を変換して追加バッテリ１２やＨＶバッテリＢ１１に供給し、追加バッテリ１２やＨＶバッテリＢ１１を充電する。また、給電コンバータ回路１１０、補機コンバータ回路１１１及び昇圧コンバータ回路１１２によって、追加バッテリ１２やＨＶバッテリＢ１１から供給される電力を変換して補機バッテリＢ１０に供給し、補機バッテリＢ１０を充電する。そのため、ソーラパネル１０以外からも補機バッテリＢ１０に電力を供給し、補機バッテリＢ１０を充電することができる。従って、補機バッテリＢ１０に余裕をもって電力を供給し、補機バッテリＢ１０を充電することができる。
【００５７】
第１実施形態によれば、マイクロコンピュータ１１３は、ソーラパネル１０から補機バッテリＢ１０だけに電力を供給し補機バッテリＢ１０を充電する場合、又は、ソーラパネル１０及びＨＶバッテリＢ１１から補機バッテリＢ１０に電力を供給し補機バッテリＢ１０を充電する場合、補機バッテリＢ１０に流れる充電電流を制限する。ソーラパネル１０から補機バッテリＢ１０だけに電力を供給し補機バッテリＢ１０を充電する場合、ソーラパネル１０及びＨＶバッテリＢ１１から補機バッテリＢ１０に電力を供給し補機バッテリＢ１０を充電する場合、補機バッテリＢ１０に過大な充電電流を流すことが可能な状態になる。そのため、補機バッテリＢ１０に過大な充電電流を流すことが可能な状態になった場合に、補機バッテリＢ１０に流れる電流を確実に制限することができる。従って、補機バッテリＢ１０に誤って過大な充電電流を流してしまうような事態を確実に抑えることができる。
【００５８】
第１実施形態によれば、マイクロコンピュータ１１３は、補機バッテリＢ１０の電圧が補機バッテリ電圧閾値未満になった場合、ソーラパネル１０及び追加バッテリ１２から補機バッテリＢ１０に電力供給する。補機バッテリ電圧閾値は、補機バッテリＢ１０が過度な低電圧状態にあるか否かを判断する際の基準となる閾値である。そのため、補機バッテリＢ１０が過度な低充電状態になった場合に、ソーラパネル１０以外からも確実に電力供給することができる。従って、補機バッテリＢ１０を正常な充電状態に早急に回復させ、過度な低充電状態において負荷等に電力供給するような事態を確実に抑えることができる。
【００５９】
なお、第１実施形態では、マイクロコンピュータ１１３が、補機バッテリＢ１０の充電状態に基づいて補機バッテリＢ１０の充電時間を制限すること、補機バッテリＢ１０に過大な充電電流を流すことが可能な状態になった場合に補機バッテリＢ１０に流れる充電電流を制限すること、及び、補機バッテリＢ１０が過度な低充電状態になった場合にソーラパネル１０以外からも電力供給すること全てを実施しているが、これに限られるものではない。これらの少なくともいずれかを実施すればよい。
【００６０】
また、第１実施形態では、補機バッテリＢ１０の残存容量に基づいて補機バッテリＢ１０の連続充電時間を制限する例を挙げているが、これに限られるものではない。補機バッテリＢ１０の電圧に基づいて補機バッテリＢ１０の連続充電時間を制限するようにしてもよい。
【００６１】
さらに、第１実施形態では、補機バッテリＢ１０の電圧が閾値未満になった場合にソーラパネル１０以外からも補機バッテリＢ１０に電力供給する例を挙げているが、これに限られるものではない。補機バッテリＢ１０の残存容量が閾値未満になった場合にソーラパネル１０以外からも補機バッテリＢ１０に電力供給するようにしてもよい。
【００６２】
加えて、第１実施形態では、ソーラパネル１０及びＨＶバッテリＢ１１から補機バッテリＢ１０に電力を供給し補機バッテリＢ１０を充電する場合、補機バッテリＢ１０に流れる充電電流を制限する例を挙げているが、これに限られるものではない。ソーラパネル１０及び追加バッテリ１２から補機バッテリＢ１０に電力を供給する場合、補機バッテリＢ１０に流れる電流を制御するようにしてもよい。
【符号の説明】
【００６３】
１・・・充電装置、１０・・・ソーラパネル（太陽光発電装置）、１１・・・ソーラ制御装置、１１０・・・給電コンバータ回路（充電回路）、１１１・・・補機コンバータ回路（充電回路）、１１２・・・昇圧コンバータ回路（充電回路）、１１３・・・マイクロコンピュータ（制御回路）、１２・・・追加バッテリ（第２電池）、Ｂ１０・・・補機バッテリ（第１電池）、Ｂ１１・・・ＨＶバッテリ
【図１】
2015133813.tif 000003
【図２】
2015133813.tif 000004
【図３】
2015133813.tif 000005
【図４】
2015133813.tif 000006